(57)【特許請求の範囲】
【請求項１】
連棟型ビニルハウスの隣接するビニルハウス間に設けられる梁材にボルトを用いて固定される連棟型ビニルハウスのアーチ受け部材であって、
前記梁材の上面に載置される土台部であり、前記ボルトが貫通する第１の貫通孔と、前記第１の貫通孔の外側に立設され、前記第１の貫通孔に挿通されるボルトの頭部の回転を拘束するリブとを備える土台部と、
前記ビニルハウスの屋根部を構成するためのアーチ部材を支持するアーチ支持部であり、前記土台部を挟む位置の両側に斜め上方へ向かって延設されたアーチ支持部と
を有する連棟型ビニルハウスのアーチ受け部材。
【請求項２】
前記土台部のリブは、前記第１の貫通孔を挟む両側に備えたものである請求項１記載の連棟型ビニルハウスのアーチ受け部材。
【請求項３】
前記請求項１または２に記載の連棟型ビニルハウスのアーチ受け部材と、
前記ボルトが貫通する第２の貫通孔を備える前記梁材と
を含む連棟型ビニルハウス。
【発明の詳細な説明】
【技術分野】
【０００１】
本発明は、連棟型ビニルハウスの隣接するビニルハウス間に設けられて、ビニルハウスの屋根部を構成するためのアーチ部材を支持する連棟型ビニルハウスのアーチ受け部材およびこれを用いた連棟型ビニルハウスに関する。
【背景技術】
【０００２】
従来の連棟型ビニルハウスとして、例えば特許文献１には、圃場に複数の支柱を設立し、同支柱の上端に梁材を設け、同梁材の両側面に等間隔に設けた突起にアーチ部材の下端部をそれぞれ嵌合して同アーチ部材を等間隔に支持するとともに、上記梁材の上面に集水樋を設け、かつ上記多数のアーチ部材の上面を透明のシートで被覆して形成したビニルハウスが記載されている。
【先行技術文献】
【特許文献】
【０００３】
【特許文献１】実開昭６２−２０２１５０号公報
【発明の概要】
【発明が解決しようとする課題】
【０００４】
上記梁材の両側面に等間隔に設けられる突起は、通常、梁材に溶接することによって設けられる。そのため、工数が嵩み、コスト高の要因となっている。また、梁材の両側面に突起が溶接された状態で、工場から出荷されるため、荷姿が大きくなり、運送費も高くなるという問題がある。
【０００５】
そこで、本発明においては、施工が容易であり、かつ運送時に嵩張らない連棟型ビニルハウスのアーチ受け部材およびこれを用いた連棟型ビニルハウスを提供することを目的とする。
【課題を解決するための手段】
【０００６】
本発明の連棟型ビニルハウスのアーチ受け部材は、連棟型ビニルハウスの隣接するビニルハウス間に設けられる梁材にボルトを用いて固定される連棟型ビニルハウスのアーチ受け部材であって、梁材の上面に載置される土台部であり、ボルトが貫通する第１の貫通孔と、第１の貫通孔の外側に立設され、第１の貫通孔に挿通されるボルトの頭部の回転を拘束するリブとを備える土台部と、ビニルハウスの屋根部を構成するためのアーチ部材を支持するアーチ支持部であり、土台部を挟む位置の両側に斜め上方へ向かって延設されたアーチ支持部とを有するものである。
【０００７】
本発明の連棟型ビニルハウスのアーチ受け部材は、梁材の上面に土台部を載置し、土台部の第１の貫通孔にボルトを挿通して梁材にボルトを用いて固定する際、土台部に備えられたリブによってボルトの頭部の回転が拘束されるので、このボルトに対してナットを一方から締め付けることにより、梁材にアーチ受け部材を容易に固定することができる。なお、梁材には、第１の貫通孔に挿通するボルトが貫通する第２の貫通孔を備えれば良い。
【０００８】
ここで、土台部のリブは、第１の貫通孔を挟む両側に備えたものであることが望ましい。土台部のリブは、ボルトの頭部が回転しないように拘束できれば良く、頭部の一面を拘束するものであれば良いが、この土台部のリブを第１の貫通孔を挟む両側に備えて、ボルトの頭部を挟み込むように拘束することで、より確実にボルトの頭部の回転を防止することが可能となる。
【０００９】
また、土台部およびアーチ支持部は、中空パイプを曲げ加工することにより形成されたものであり、土台部は、中空パイプをリブが形成されるようにプレス加工することにより形成されたものであることが望ましい。これにより、中空パイプから曲げ加工およびプレス加工することによって、本発明のアーチ受け部材を容易に製造することが可能となる。
【発明の効果】
【００１０】
（１）梁材の上面に載置される土台部であり、ボルトが貫通する第１の貫通孔と、第１の貫通孔の外側に立設され、第１の貫通孔に挿通されるボルトの頭部の回転を拘束するリブとを備える土台部と、ビニルハウスの屋根部を構成するためのアーチ部材を支持するアーチ支持部であり、土台部を挟む位置の両側に斜め上方へ向かって延設されたアーチ支持部とを有する構成により、梁材の上面に土台部を載置し、土台部の第１の貫通孔にボルトを挿通してナットを一方から締め付けることにより、梁材にアーチ受け部材を容易に固定することができ、連棟型ビニルハウスを容易に施工することが可能となる。また、梁材には、第１の貫通孔に挿通するボルトが貫通する第２の貫通孔を備えるだけで良く、アーチ受け部材は土台部およびその両側に延設されたアーチ支持部からなるため、運送時に嵩張らず、荷姿が小さくなるため、運送費が安価となる。
【００１１】
（２）土台部のリブが第１の貫通孔を挟む両側に備えたものであることにより、より確実にボルトの頭部の回転を防止することが可能となり、施工性が向上する。
【００１２】
（３）土台部およびアーチ支持部が、中空パイプを曲げ加工することにより形成されたものであり、土台部が、中空パイプをリブが形成されるようにプレス加工することにより形成されたものであることにより、中空パイプから曲げ加工およびプレス加工することによって、アーチ受け部材を低コストで製造することが可能となる。
【図面の簡単な説明】
【００１３】
【図１】本発明の実施の形態におけるアーチ受け部材の斜視図である。
【図２】図１のアーチ受け部材を連棟型ビニルハウスの隣接するビニルハウス間に配設した状態を示す説明図である。
【図３】図１のアーチ受け部材を梁材上にボルトを用いて固定した状態を示す正面図である。
【図４】図３の平面図である。
【図５】図３のＸ−Ｘ断面図である。
【図６】連棟型ビニルハウスの平面配置図である。
【発明を実施するための形態】
【００１４】
図１は本発明の実施の形態におけるアーチ受け部材の斜視図、図２は図１のアーチ受け部材を連棟型ビニルハウスの隣接するビニルハウス間に配設した状態を示す説明図、図３は図１のアーチ受け部材を梁材上にボルトを用いて固定した状態を示す正面図、図４は図３の平面図、図５は図３のＸ−Ｘ断面図である。
【００１５】
図２に示すように、本発明の実施の形態におけるアーチ受け部材１は、連棟型ビニルハウスの隣接するビニルハウス間に設けられる梁材Ｂにボルト４を用いて固定されるものである。梁材Ｂはボルト４が貫通する貫通孔Ｈ（図５参照。）を備えている。
【００１６】
アーチ受け部材１は、図１および図３に示すように、梁材Ｂの上面に載置される土台部２と、ビニルハウスの屋根部を構成するためのアーチ部材Ａを支持するアーチ支持部３とから構成される。土台部２およびアーチ支持部３は、スチール製の中空パイプを曲げ加工することにより形成されている。梁材Ｂは、所定の間隔（例えば３〜４ｍの間隔）で複数立設された支柱Ｃの上端に設けられている。
【００１７】
土台部２は、図４および図５に示すように、ボルト４が貫通する貫通孔１０と、貫通孔１０の外側に立設され、貫通孔１０に挿入されるボルト４の頭部４ａの回転を拘束するリブ１１とを備える。リブ１１は、貫通孔１０を挟む両側に備えられている。土台部２は、図５に示すように、中空パイプをリブ１１が形成されるように断面凹状にプレス加工することにより形成されている。なお、本実施形態において使用されるボルト４は六角ボルトであり、リブ１１の間隔はボルト４の二面幅に応じて設定される。
【００１８】
アーチ支持部３は、土台部２を挟む位置の両側に斜め上方へ向かって延設されている。本実施形態においてアーチ部材Ａは、中空パイプからなり、アーチ支持部３は、アーチ部材Ａの中空部に差し込み可能な形状となっている。なお、アーチ部材Ａは、アーチ支持部３の中空部に差し込む構成としても良い。
【００１９】
上記構成のアーチ受け部材１は、梁材Ｂの上面に土台部２を載置し、土台部２の貫通孔１０にボルト４を挿通してナット５を下方から締め付ける。このとき、土台部２に備えられたリブ１１によってボルト４の頭部４ａの回転が拘束されるので、このボルト４に対してナット５を一方から締め付けることが可能である。したがって、梁材Ｂにアーチ受け部材１を容易に固定することができ、連棟型ビニルハウスを容易に施工することが可能となる。
【００２０】
また、上記構成のアーチ受け部材１では、梁材Ｂには、アーチ受け部材１の貫通孔１０に挿通するボルト４が貫通する貫通孔Ｈを備えるだけで良く、アーチ受け部材１は土台部２およびその両側に延設されたアーチ支持部３からなるため、運送時に嵩張らない。したがって、梁材Ｂおよびアーチ受け部材１の荷姿が小さくなり、運送費が安価である。
【００２１】
なお、図６に示すように、連棟型ビニルハウスＤは、土地Ｌを最大限に有効活用するため、土地Ｌの形状に合わせて設置することがある。このとき、本実施形態におけるアーチ受け部材１では、ボルト４の回転軸周りに自在に回転させることが可能であるため、図６に示すように梁材Ｂに対して直角だけでなく、斜めに配設することが可能であり、連棟型ビニルハウスＤを土地Ｌの形状に容易に合わせて設置することが可能である。また、梁材Ｂの貫通孔Ｈは設置現場で開けることが可能であるため、アーチ受け部材１の間隔も設置現場に応じて自在に設定することが可能である。
【００２２】
また、本実施形態におけるアーチ受け部材１では、土台部２のリブ１１が貫通孔１０を挟む両側に備えられているので、ボルト４の頭部４ａが挟み込むように拘束されている。そのため、確実にボルト４の頭部４ａの回転が防止され、施工性が向上している。なお、リブ１１はボルト４の頭部４ａが回転しないように拘束できれば良く、ボルト４の頭部４ａの一面を拘束する構成とすることも可能である。
【００２３】
また、本実施形態におけるアーチ受け部材１では、土台部２およびアーチ支持部３は、中空パイプを曲げ加工することにより形成されたものであり、土台部２は、中空パイプをリブ１１が形成されるようにプレス加工することにより形成されたものであるため、低コストで製造することが可能である。
【産業上の利用可能性】
【００２４】
本発明の連棟型ビニルハウスのアーチ受け部材は、連棟型ビニルハウスの隣接するビニルハウス間に設けられて、ビニルハウスの屋根部を構成するためのアーチ部材を支持する部材として有用である。
【符号の説明】
【００２５】
１  アーチ受け部材
２  土台部
３  アーチ支持部
４  ボルト
４ａ  頭部
５  ナット
１０  貫通孔
１１  リブ
【図１】
0005902232.tif 000002
【図２】
0005902232.tif 000003
【図３】
0005902232.tif 000004
【図４】
0005902232.tif 000005
【図５】
0005902232.tif 000006
【図６】
0005902232.tif 000007